(57)【要約】  薬剤粉末などの粉末を目標位置に分配するためのアプリケータ（１０）が提供される。また、アプリケータ（１０）を使用して表面上に粉末を塗布する方法も提供される。
2021502153.tif 000002
【特許請求の範囲】
【請求項１】
粉末分配アプリケータ（２１０、４１０）であって、前記アプリケータが、
少なくとも出口開口部（２４）の近傍に粉末を収容するように構成された空洞（３０）によって互いに離間された入口開口部（２２）および前記出口開口部（２４）を有する容器（２０）と、
前記出口開口部（２４）がその閉状態にあるときに、前記アプリケータ（２１０、４１０）内の圧力を上昇させるように構成された変形可能なガス収容作動要素（４２）を備えるアクチュエータ（４０）と、
前記出口開口部（２４）が前記開状態にあるときに、前記アプリケータ内とその外部との間の圧力差により発生した前記ガスの流れによって、前記粉末の少なくとも一部を加圧噴出で前記出口開口部（２４）から押し出すときに、前記ガス内に乱流を導入するように構成された前記空洞（３０）内の少なくとも１つの内部要素（６０）と、
を備える、粉末分配アプリケータ。
【請求項２】
粉末分配アプリケータ（１０、１１０、２１０、３１０、４１０）であって、
容器（２０）であって、出口開口部（２４）が閉状態にあるときに、少なくとも前記出口開口部（２４）の近傍に粉末を収容し、前記出口開口部（２４）が開状態にあるときに、前記粉末の少なくとも一部が排出されることを可能にするように構成された空洞（３０）によって、前記アプリケータの長手方向軸（Ｌ）に沿って互いに離間された入口開口部（２２）および前記出口開口部（２４）を有する、容器と、
アクチュエータ（４０）であって、内部にガスを収容し、前記出口開口部（２４）がその閉状態にあるときに前記アプリケータ内の圧力を上昇させるために、最大動作容積を有するその初期状態から、前記最大容積よりも小さい中間動作容積を有する中間状態を介して、最小動作容積を有する最終状態にされるように構成され、また上昇した前記圧力が解放された後に、前記アプリケータの外部から周囲ガスを引き込むことによって、その最終状態からその初期状態にされるように更に構成された変形可能な作動要素（４２）を備える、アクチュエータと、
栓（５０）であって、前記作動要素（４２）が前記中間状態から前記最終状態にされたときに、前記栓（５０）が前記アクチュエータ（４０）によって操作されて前記出口開口部（２４）を前記開状態にするまで、前記出口開口部を前記閉状態に維持するために前記出口開口部（２４）を塞ぎ、前記粉末の少なくとも一部を加圧噴出で前記出口開口部（２４）から押し出すために、前記アプリケータ内とその外部との間の圧力差により発生した前記ガスの流れを作るように構成された、栓と
を備える、粉末分配アプリケータ。
【請求項３】
前記栓（５０）は、前記出口開口部（２４）が閉鎖される閉塞位置と、前記栓（５０）が前記出口開口部（２４）から離れて移動され、したがって開放される、非閉塞位置と、の間で移動するように構成されている、請求項２に記載のアプリケータ（１０、１１０、２１０、３１０、４１０）。
【請求項４】
前記出口開口部（２４）は、通路内壁（５６）を有する軸方向に延在する通路（５５）の形態であり、前記通路内壁において、前記栓（５０）が、その閉塞位置にあるときに前記通路内壁（５６）の間に配置され、前記栓（５０）は、前記閉塞位置から、前記通路内壁（５６）から離れる方向に、その非閉塞位置に移動される、請求項３に記載のアプリケータ（１０、１１０、２１０、３１０、４１０）。
【請求項５】
前記アクチュエータ（４０）が、
前記軸（Ｌ）に沿って方向付けられて前記栓（５０）を前記閉塞位置から前記非閉塞位置へ移動させる開放力と、
前記開放力が終了されると、前記軸に沿って方向付けられて前記栓（５０）を前記非閉塞位置から前記閉塞位置へ移動させ、前記開放力が印加されるまで前記栓（５０）をこの位置に維持する閉鎖力と、
を前記栓（５０）に選択的に印加するように構成され、前記開放力および閉鎖力のうちの一方が前記空洞（３０）に向かって方向付けられ、これらの力のうちの他方が前記空洞（３０）から離れるように方向付けられる、請求項３又は４に記載のアプリケータ（１０、１１０、２１０、３１０、４１０）。
【請求項６】
前記アクチュエータ（４０）が、前記変形可能なガス収容作動要素（４２）によって、少なくとも間接的に操作可能な、少なくとも１つの力伝達要素（４６）を備え、その結果、前記変形可能なガス収容作動要素（４２）が前記中間状態から前記最終状態にされたときに、前記開放力を前記栓（５０）に印加する、請求項５に記載のアプリケータ（１０、１１０、２１０、３１０、４１０）。
【請求項７】
前記アクチュエータ（４０）は、前記力伝達要素（４６）を少なくとも間接的に操作し、その結果、前記変形可能なガス収容作動要素（４２）がその最終状態からその初期状態に戻されたときに、前記閉鎖力を前記栓（５０）に印加させるように構成された、少なくとも１つの力印加要素（４４）を備える、請求項６に記載のアプリケータ（１１０、４１０）。
【請求項８】
前記力印加要素が、ばね（４４）の形態であり、前記力伝達要素が前記開放力を前記栓（５０）に印加して前記栓（５０）を前記非閉塞位置にさせたときに圧縮状態にされ、前記力伝達要素が前記閉鎖力を前記栓（５０）に印加して、前記栓（５０）を前記閉塞位置にさせる伸長状態にされる、請求項７に記載のアプリケータ（１１０、４１０）。
【請求項９】
前記ばね（４４）は、前記変形可能なガス収容作動要素（４２）がその初期状態から前記中間状態にされるまで、その伸長状態に維持され、前記変形可能なガス収容作動要素（４２）が前記中間状態から前記最終状態にされたときに、前記変形可能なガス収容作動要素（４２）によって、少なくとも間接的に圧縮されるように構成されている、請求項８に記載のアプリケータ（１１０、４１０）。
【請求項１０】
前記空洞（３０）が、前記粉末の少なくとも一部を押し出すときに、前記ガスの流れ内に乱流を導入するように構成された少なくとも１つの内部要素（６０）を有する、請求項２に記載のアプリケータ（２１０、４１０）。
【請求項１１】
前記少なくとも１つの内部要素が、少なくとも１つのリブ（６０）である、請求項１０に記載のアプリケータ（２１０、４１０）。
【請求項１２】
前記容器（２０）が、前記空洞（３０）を画定する内壁（２８）を有し、前記少なくとも１つのリブ（６０）が前記内壁（２８）から内側に突出する、請求項１１に記載のアプリケータ（２１０、４１０）。
【請求項１３】
ガス透過性フィルタ（７０）を更に備え、前記ガス透過性フィルタ（７０）が、前記入口開口部（２２）に面する第１の側面（７２）と、前記出口開口部（２４）に面する第２の側面（７４）と、を有し、前記空洞（３０）内に配置されて前記フィルタ（７０）の前記第２の側面（７４）と前記出口開口部（２４）との間に、前記粉末用のチャンバ（３２）を形成し、前記フィルタ（７０）は、前記粉末が前記フィルタ（７０）を通って前記入口開口部（２２）に向かって移動することを防止するために、前記粉末に対するバリアを形成するように構成されている、請求項２に記載のアプリケータ（３１０、４１０）。
【請求項１４】
前記圧力が、前記出口開口部（２４）の開口直前に１２６．６６〜１４６．９２ｋＰａ（１．２５〜１．４５ａｔｍ）である、請求項２〜６のいずれか一項に記載のアプリケータ（１０、１１０、２１０、３１０、４１０）。
【請求項１５】
前記変形可能なガス収容作動要素（４２）は、前記最大動作容積を有するときに、前記初期状態において、最大量のガスを内部に有し、前記最小動作容積を有するときに、前記最終状態において、最小量のガスを内部に有し、前記出口開口部（２４）がその閉状態にあるときに、前記空洞（３０）内の圧力を上昇させるために、前記初期状態から前記中間状態にされたときに、前記軸（Ｌ）に沿って前記入口開口部（２２）を介して、前記空洞（３０）内に前記ガスを導入するために、前記容器（２０）に密封状態で接続されている、請求項２〜６又は１４のいずれか一項に記載のアプリケータ（１０、１１０、２１０、３１０、４１０）。
【請求項１６】
前記ガス収容作動要素（４２）は、前記出口開口部（２４）および前記空洞（３０）を少なくとも部分的に介して、周囲空気を内部に引き込んで、その最終状態からその初期状態に戻されたときに、前記最小動作容積から前記最大動作容積にその容積を増加させるように構成されている、請求項７に記載のアプリケータ（１１０、４１０）。
【請求項１７】
前記力印加要素（４４）は、前記力印加要素（４４）が前記栓（５０）をその非閉塞位置からその閉塞位置にさせるのに必要な時間が、前記栓（５０）が前記出口開口部（２４）を塞ぐ前に、前記ガス収容作動要素（４２）が前記最小動作容積から少なくとも前記中間容積までその容積を増加させることを可能にするように選択されるように構成されている、請求項１５に記載のアプリケータ（１１０、４１０）。
【請求項１８】
粉末分配アプリケータ（１０、１１０、２１０、３１０、４１０）を使用して表面上に粉末を塗布する方法であって、前記アプリケータ（１０、１１０、２１０、３１０、４１０）は、内部に粉末を収容するように構成された空洞（３０）によって互いに離間された入口開口部（２２）および出口開口部（２４）を有する容器（２０）を備え、前記方法は、
前記出口開口部（２４）を閉鎖したままに維持しながら、前記アプリケータ内に収容されたガスを加圧することと、
続いて前記出口開口部（２４）を開放して、前記粉末の少なくとも一部を加圧噴出で前記出口開口部（２４）から押し出すために、前記アプリケータ（１０、１１０、２１０、３１０、４１０）内とその外部との間の圧力差により発生した前記ガスの流れを作ることと、
前記上昇した圧力が解放された後に、周囲ガスを前記アプリケータ内に、その外部から引き込むことを可能にすることと、
を含む、方法。
【発明の詳細な説明】
【技術分野】
【０００１】
本開示の主題は、薬剤粉末などの粉末を目標位置に分配するためのアプリケータに関する。
【背景技術】
【０００２】
本開示の主題が言及する種類のアプリケータの例は、米国特許第９，２０５，２４０号、国際公開第９２／０６７２７号、国際公開第２０１３／１２２０４０号、米国特許出願公開第２０１６／００７４６０２（Ａ１）号および米国特許出願公開第２０１６／０３７５２０２（Ａ１）号に開示されている。
【０００３】
米国特許第９，２０５，２４０号は、粉末を局所的に分配するための装置を開示しており、この装置はガス流発生器を使用してガスを装置に流し、粉末容器から粉末を取り込み、一方、攪拌器を使用して粉末容器を機械的に攪拌して、粉末容器から粉末を放出するのを容易にする。
【０００４】
国際公開第９２／０６７２７号は、粉末用の使い捨てディスペンサーを開示しており、粉末放出の機構は、管状粉末マガジンの２つの端部を閉鎖する膜の透過を必要とする。
【０００５】
国際公開第２０１３／１２２０４０（Ａ１）号は、粉末注入装置を開示しており、この装置は、排気管から、ホッパー内に収容された粉末と共に、加圧ガスを注入する。
【０００６】
米国特許出願公開第２０１６／００７４６０２（Ａ１）号は、液体薬剤および粉末薬剤を組織又は創傷上に共送達する送達装置を開示している。
【０００７】
米国特許出願公開第２０１６／０３７５２０２（Ａ１）号は、近位端および遠位端にある圧搾ポートにおいて、ベローズなどの手動空気ポンプを有する細長いリザーバを有する止血粉末の圧搾のための装置を開示している。
【０００８】
本明細書において上記参照文献を承認することは、これらが本開示の主題の特許性と何らかの形で関連すると解釈することを示唆するものではない。
【発明の概要】
【課題を解決するための手段】
【０００９】
本開示の主題の一態様によれば、粉末分配アプリケータが提供され、粉末分配アプリケータは、
容器であって、出口開口部が閉状態にあるときに、少なくとも出口開口部の近傍に粉末を収容し、出口開口部が開状態にあるときに、粉末の少なくとも一部が排出されることを可能にするように構成された空洞によって、アプリケータの長手方向軸Ｌに沿って互いに離間された入口開口部および出口開口部を有する、容器と、
アクチュエータであって、内部にガスを収容し、出口開口部がその閉状態にあるときにアプリケータ内の圧力を上昇させるために、最大動作容積を有するその初期状態から、最大容積よりも小さい中間動作容積を有する中間状態を介して、最小動作容積を有する最終状態にされるように構成され、また上昇した圧力が解放された後に、アプリケータの外部から周囲ガスを引き込むことによって、その最終状態からその初期状態にされるように更に構成された変形可能な作動要素を備える、アクチュエータと、
栓であって、作動要素が中間状態から最終状態にされたときに、栓がアクチュエータによって操作されて出口開口部を開状態にするまで、出口開口部を閉状態に維持するために出口開口部を塞ぎ、粉末の少なくとも一部を加圧噴出で出口開口部から押し出すために、アプリケータ内とその外部との間の圧力差により発生したガスの流れを作るように構成された、栓と、を備える。
【００１０】
アプリケータの上記構造、特に、出口開口部がその開状態にされる直前に、アプリケータ内に圧力差が増大するという事実は、外部加圧ガス源を使用せずに、加圧噴出で粉末を分配することを可能にする。更に、アプリケータの上記の構造により、生成された各加圧噴出で、粉末の一部（１回の投与量）のみがアプリケータの容器から押し出され、それによって繰り返される用量の粉末塗布を可能にするように構成することができる。しかしながら、所望であれば、アプリケータは、全ての粉末を一度に分配するように設計することができる。
【００１１】
いくつかの実施形態では、栓は、出口開口部が閉鎖される閉塞位置と、栓が出口開口部から離れて移動され、したがって開放される、非閉塞位置と、の間で移動するように構成され得る。
【００１２】
いくつかの実施形態では、出口開口部は、通路内壁を有する軸方向に延在する通路の形態であり得、通路内壁において、栓は、その閉塞位置にあるときに通路内壁の間に配置され、栓は、閉塞位置から、通路内壁から離れる方向に、その非閉塞位置に移動される。
【００１３】
いくつかの実施形態では、アクチュエータは、軸Ｌに沿って方向付けられて栓を閉塞位置から非閉塞位置へ移動させる開放力と、開放力が終了されると、軸に沿って方向付けられて栓を非閉塞位置から閉塞位置へ移動させ、開放力が印加されるまで栓をこの位置に維持する閉鎖力と、を栓に選択的に印加するように構成され、開放力および閉鎖力のうちの一方が空洞に向かって方向付けられ、これらの力のうちの他方が空洞から離れるように方向付けられ得る。
【００１４】
いくつかの実施形態では、アクチュエータが、変形可能なガス収容作動要素によって、少なくとも間接的に操作可能な、少なくとも１つの力伝達要素を備え、その結果、変形可能なガス収容作動要素が中間状態から最終状態にされたときに、開放力を栓に印加できる。
【００１５】
いくつかの実施形態では、アクチュエータは、力伝達要素を少なくとも間接的に操作し、その結果、変形可能なガス収容作動要素がその最終状態からその初期状態に戻されたときに、閉鎖力を栓に印加させるように構成された、少なくとも１つの力印加要素を備えることができる。力印加要素は、任意の適切な構造を有することができる。例えば、力印加要素は、ばねの形態であってよく、力伝達要素が開放力を栓に印加して栓を非閉塞位置にさせたときに圧縮状態にされ、力伝達要素が閉鎖力を栓に印加して、栓を閉塞位置にさせる伸長状態にされる。任意に、ばねは、変形可能なガス収容作動要素がその初期状態から中間状態にされるまで、その伸長状態に維持され、変形可能なガス収容作動要素が中間状態から最終状態にされたときに、変形可能なガス収容作動要素によって、少なくとも間接的に圧縮されるように構成され得る。
【００１６】
いくつかの実施形態では、変形可能なガス収容作動要素は、最大動作容積を有するときに、初期状態において、最大量のガスを内部に有することができ、最小動作容積を有するときに、最終状態において、最小量のガスを内部に有することができ、出口開口部がその閉状態にあるときに、空洞内の圧力を上昇させるために、初期状態から中間状態にされたときに、軸Ｌに沿って入口開口部を介して、空洞内にガスを導入するために、容器に密封状態で接続され得る。
【００１７】
いくつかの実施形態では、ガス収容作動要素は、出口開口部および空洞を少なくとも部分的に介して、周囲空気を内部に引き込んで、その最終状態からその初期状態に戻されたときに、最小動作容積から最大動作容積にその容積を増加させるように構成され得る。
【００１８】
いくつかの実施形態では、力印加要素は、力印加要素が栓をその非閉塞位置からその閉塞位置にさせるのに必要な時間が、栓が出口開口部を塞ぐ前に、ガス収容作動要素が最小動作容積から少なくとも中間容積までその容積を増加させることを可能にするように選択されるように構成され得る。
【００１９】
いくつかの実施形態では、アプリケータは、容器の空洞内に配置され、粉末の少なくとも一部を押し出すときに、ガスの流れ内に乱流を導入するように構成された、少なくとも１つの内部要素を含むことができる。いくつかの実施形態では、内部要素は少なくとも１つのリブを含み得る。任意に、リブは、空洞を画定する容器の内壁から内側に突出することができる。
【００２０】
いくつかの実施形態では、アプリケータは、ガス透過性フィルタを備えることができ、ガス透過性フィルタは、入口開口部に面する第１の側面と、出口開口部に面する第２の側面と、を有し、空洞内に配置されてフィルタの第２の側面と出口開口部との間に、粉末用のチャンバを形成し、フィルタは、粉末がフィルタを通って入口開口部に向かって移動することを防止するために、粉末に対するバリアを形成するように構成されている。
【００２１】
本開示の主題の別の態様によれば、粉末分配アプリケータが提供され、粉末分配アプリケータは、少なくとも出口開口部の近傍に粉末を収容するように構成された空洞によって互いに離間された入口開口部および出口開口部を有する容器と、出口開口部がその閉状態にあるときに、アプリケータ内の圧力を上昇させるように構成された変形可能なガス収容作動要素を備えるアクチュエータと、出口開口部が開状態にあるときに、アプリケータ内とその外部との間の圧力差により発生したガスの流れによって、粉末の少なくとも一部を加圧噴出で出口開口部から押し出すときに、ガス内に乱流を導入するように構成された空洞内の少なくとも１つの内部要素と、を備える。
【００２２】
本開示の主題のこの態様によるアプリケータは、本開示の主題の第１の態様によるアプリケータの特徴のうちの任意の１つ以上を有することができる。
【００２３】
本開示の主題のなお更なる態様によれば、粉末分配アプリケータを使用して表面上に粉末を塗布する方法が提供され、粉末分配アプリケータは、内部に粉末を収容するように構成された空洞によって互いに離間された入口開口部および出口開口部を有する容器を備え、本方法は、
出口開口部を閉鎖したままに維持しながら、アプリケータ内に収容されたガスを加圧することと、
続いて出口開口部を開放して、粉末の少なくとも一部を加圧噴出で出口開口部から押し出すために、アプリケータ内とその外部との間の圧力差により発生したガスの流れを作ることと、
上昇した圧力が解放された後に、周囲ガスをアプリケータ内に、その外部から引き込むことを可能にすることと、を含む。
【００２４】
上記の方法は、内部に使用されるアプリケータが、外部加圧ガス源を使用せずに、加圧噴出で粉末を分配することを可能にすることができる。更に、この方法は、内部で生成された各加圧噴出で、粉末の一部（１回の投与量）のみがアプリケータの容器から押し出され、それによって繰り返される用量の粉末塗布を可能にするように構成することができる。しかしながら、所望であれば、本方法を使用して、全ての粉末を一度に分配することができる。
【００２５】
本開示の主題のこの態様による方法で使用されるアプリケータは、本開示の主題の第１および／又は第２の態様によるアプリケータによって構成され得る。
【図面の簡単な説明】
【００２６】
本明細書に開示される主題をよりよく理解し、実際にその主題をどのように実施することができるのかを例示するために、ここで添付の図面を参照しながら単なる非限定的な例によって実施形態について説明する。
【図１Ａ】本開示の主題の一実施例による、粉末分配アプリケータの概略斜視図であり、その変形可能なガス収容作動要素は、初期状態にある。
【図１Ｂ】本開示の主題の一実施例による、粉末分配アプリケータの概略斜視図であり、その変形可能なガス収容作動要素は、中間状態にある。
【図１Ｃ】本開示の主題の一実施例による、粉末分配アプリケータの概略斜視図であり、その変形可能なガス収容作動要素は、最終状態にある。
【図２Ａ】本開示の主題の更なる実施例による、粉末分配アプリケータの概略斜視図であり、その出口開口部は閉状態にある。
【図２Ｂ】本開示の主題の更なる実施例による、粉末分配アプリケータの概略斜視図であり、その出口開口部は開状態にある。
【図３Ａ】内部リブを有する、本開示の主題のなお更なる実施例による、粉末分配アプリケータの概略斜視図である。
【図３Ｂ】図３Ａに示すアプリケータの容器の上面図である。
【図４】フィルタを有する、本開示の主題のなお更なる実施例による、粉末分配アプリケータの概略斜視図である。
【図５】本開示の主題のなお更なる実施例による、粉末分配アプリケータの概略斜視図であり、使い捨てアプリケータ先端部と共に、必要に応じて適切に変更された図１Ａ〜１Ｃ、２Ａ〜Ｂ、３Ａおよび４に示す例示的なアプリケータの全ての要素を有する。
【００２７】
構造的支持および／又は締結要素が図面に示されているか否かに関わらず、当技術分野において既知の任意の好適な手段の形態で存在すると想定されるべきであることに留意されたい。
【発明を実施するための形態】
【００２８】
図１Ａ、１Ｂ、および１Ｃは、本開示の主題の一実施形態による粉末分配アプリケータ１０を示す。粉末材料は、顆粒、マイクロカプセル、凝集体、繊維、又はこれらの混合物などの粒子状材料の形態であってもよく、又は粒子状材料を含んでもよい。粉末は、単一の種類の粉末若しくは粒子材料、又は粉末および／又は粒子材料、例えばＯＲＣ粉末、凝集ＯＲＣ粉末、ゼラチン粒子、デンプン粒子、ガム、糖、キトサン粒子、フィブリノゲン粒子、およびトロンビン粒子などの粉末および／又は粒子材料の混合物から構成され得る。
【００２９】
粉末分配アプリケータ１０は、少なくとも出口端部２３の近傍に粉末を収容するように構成された空洞３０によって、アプリケータ１０の長手方向軸Ｌに沿って互いに離間された入口開口部２２を有する入口端部２１および出口開口部２４を有する出口端部２３を有する容器２０と、出口開口部２４を実質的に閉状態に維持するために塞ぐように構成された栓５０と、出口開口部２４をその実質的に開状態にするように栓５０を操作するように構成されたアクチュエータ４０と、を備える。
【００３０】
図１Ａ、１Ｂ、および１Ｃに示されるアプリケータ１０の実施形態では、アクチュエータ４０は、変形可能なガス収容作動要素４２を備えており、これは、その入口端部２１において容器２０に密封状態で接続されており、その結果、そのガス収容内部は、少なくとも出口開口部２４がその閉状態からその開状態にされるときに、空洞３０と流体連通しており、出口開口部２４がその閉状態にあるときに空洞３０内に所望の圧力を作るために、手動又は自動的に動作されたときに、作動要素４２が要素４２に収容されたガスを入口開口部２２を介して空洞３０内に導入することを可能にする。したがって、作動要素４２は、内部に最大量のガスを有する初期状態を有し、作動要素４２からのガスの一部が入口開口部２２を介して空洞３０内に導入されたときに、空洞３０内で圧力が上昇する中間状態にされるように動作可能である。
【００３１】
上述したように作動要素４２がその初期状態からその中間状態にされる機能に加えて、作動要素４２は、所望の圧力が空洞３０内で上昇した後に栓５０を操作するように構成されている。より具体的には、作動要素４２は、手動又は自動的に、中間状態から最終状態にされるように構成され得、その結果、この状態の変化を受けている間、栓５０上に開放力を印加して、栓５０が図１Ｃに示されるような方向Ｒ１に空洞３０および出口開口部２４から離れる方向に移動されるように構成されている。
【００３２】
いくつかの実施形態では、栓５０は、出口開口部２４が閉鎖される閉塞位置と、栓５０が閉鎖位置よりも空洞３０から（又は出口開口部２４から）離れて配置され、したがって出口開口部２４が開放される、非閉塞位置と、の間で移動するように構成されている。
【００３３】
栓５０に開放力を印加するために、アクチュエータ４０は、例えば、図１Ａ、１Ｂ、および１Ｃに示され、例えば作動要素（４２）によって少なくとも間接的に操作可能な、要素４６などの力伝達要素を更に備え、その結果、作動要素４２が中間状態から最終状態にされ、それにより出口開口部２４をその開状態にするときに、栓５０に開放力を印加する。
【００３４】
図１Ａに示されるアプリケータ１０では、作動要素４２は、閉鎖近位端４３’と、軸Ｌに近いその領域に入口開口部２２を画定する開放遠位端４３”と、それらの間のベローズ内部空間３９と、を有するベローズ４９の形態である。ベローズ４９は、入口開口部２２から半径方向に離間されたその領域で容器２０に密封状態で固定される。図１Ａに示されるアプリケータ１０の力伝達要素は、入口開口部２２および出口開口部２４を通過し、ベローズ４９の内部空間３９内にその近位端４８を有し、栓５０を伴うその遠位端は出口開口部２４に対して遠位に配置されている、ロッド４６の形態である。図１Ａは、ベローズ４９およびロッド４６をそれらの初期状態で示しており、ベローズ４９は、その内部空間３９内に、空気などのガスの最大容積および／又は量、並びにその近位端４３’と入口開口部２２との間の最大距離Ｂｍａｘを有し、ロッド４６は、入口開口部２２から距離Ｒにある近位端４８と、出口開口部２４に当接しそれを塞ぐ位置に配置されたロッドの遠位端に位置する栓５０と、を有し、出口開口部２４の閉状態を画定する。
【００３５】
図１Ａ、１Ｂ、および１Ｃに示されるロッド４６および栓５０は、別個のユニットから一緒に組み立てられてもよく、又はモノリシックユニットとして構築されてもよいことが理解されるであろう。
【００３６】
図１Ｂは、ベローズ４９がその中間状態にあり、栓５０が、出口開口部２４の閉状態を画定する閉塞位置に留まるアプリケータ１０を示す。ベローズ４９をこの状態にするために、その近位端４３’において、例えばユーザの親指（図示せず）によって手で軸方向に押され、その近位端４３’が入口開口部２２から距離Ｂｉｎｔまで移動するように圧縮されて、ガスの一部を、入口開口部２２を介してベローズの内部空間３９から空洞３０内へ流入させなければならない。栓５０は、その閉塞位置を維持して、空洞３０の出口開口部２４を閉鎖し、空洞３０の入口端部２１は、ベローズ４９との密封された接続によって閉鎖されてそれ自体も閉鎖しているため、空洞３０内へのベローズ４９の内部空間３９からのガスの導入は、空洞内の圧力を上昇させる。距離Ｂｉｎｔは、距離Ｒ以上になるように選択されて、ベローズ４９の近位端４３’がロッド４６の近位端４８にいかなる力も印加せず、空洞３０内で上昇した圧力が所定の値に達するまで、ロッド４６が栓５０を出口開口部２４から離れる方向に移動させないことを確実にする。
【００３７】
上述したように空洞３０内で上昇する圧力の量は、例えば、ＢｍａｘとＲとの間の比、空洞３０の容積と作動要素４２の内部空間３９との間の比などの、アプリケータ１０の物理的および構成的パラメータのうちの１つ以上の関数であり得ることが理解されるであろう。例えば、アプリケータ１０において、Ｂｍａｘは、Ｒの長さの２．３〜２．７倍であり得、空洞３０の容積は、作動要素４２の内部空間３９の容積の１〜１．３倍であり得る。
【００３８】
別の例では、空洞３０内で上昇した圧力を解放前に制御するために、要素４６が作動要素４２の内部空間３９内に延びる範囲である寸法Ｒを変化させるように、要素４６の長さを減少又は増大させることができる。
【００３９】
作動要素４２と容器２０との間の接続が気体に対して完全に密封されていない間であっても、上述したように空洞３０内で圧力を上昇させることができることが更に理解されるであろう。
【００４０】
図１Ａ〜１Ｃおよび上記の説明において、作動要素４２の初期状態、中間状態、および最終状態は、アプリケータ１０がどのように機能するかを明確に詳細に説明するために、独特な状態として提示されていることが理解されるであろう。しかしながら、アプリケータ１０の作動要素４２の通常の動作において、上記の状態は、所望に応じて迅速であり得る１つの動きでアクチュエータを押すことによって、継続的かつ連続的に、すなわちそれらの間の間隔なしになり得ることを理解されたい。
【００４１】
本開示の主題のアプリケータでは、図１に示されるようなベローズの代わりに、形状記憶弾性球又はシリンダ内のピストンなどのガス圧縮の代替手段を使用することができることが更に理解されるであろう。
【００４２】
図１Ｃに示すように、ベローズ４９の近位端４３’上を連続して軸方向に押圧することにより、ベローズはロッド４６の近位端４８を遠位に押し、それと共に入口開口部２２に向かって移動させ、それによりベローズ４９は、入口開口部２２からのベローズ４２の近位端４３’の最小間隔Ｂｍｉｎによって、およびベローズ４９の内部空間３９内の最小量のガスによって特徴付けられる最終状態に達する。図１Ｃでは、ベローズ４９の近位端４３’とロッド４６の近位端４８との間に小さい空間が、図における部品の明確さのみのために出現しているが、上述したように、ベローズ４９およびロッド４６のそれぞれ近位端４３’および４８は、ベローズがその最終状態にあるときに互いに接触していると見なされるべきであることに留意されたい。
【００４３】
ロッド４６がベローズ４９の近位端４３’によって遠位に押されると、ロッドは、長手方向軸Ｌに沿って空洞３０から離れる方向に開放力を栓５０に印加し、それによって栓５０を出口開口部２４から離れる方向にその非閉塞位置に移動させて、出口開口部２４を開状態にする。
【００４４】
出口開口部２４を開放する前に、圧力が空洞３０内で圧力Ｐ１まで上昇しているという事実は、空洞３０内と外部大気（ａｔｍ）との間の圧力差（すなわち、Ｐ１＞Ｐａｔｍ）の生成をもたらされ、そのため、出口開口部２４が開放されると、加圧ガス流が出口開口部２４から生成される。空洞３０が少なくとも出口開口部２４の近傍に粉末を収容する場合、この加圧ガス流は、粉末、すなわち粉末用量の少なくとも一部を加圧噴出で出口開口部から押し出す。
【００４５】
したがって、栓５０がその閉塞位置からその非閉塞位置へと移動する間、アプリケータ内に収容された粉末が分配される。
【００４６】
本開示の主題に従い、初期状態では１０ｍＬの初期ベローズ容積を、最終状態では５ｍＬの最終ベローズ容積を有する、アプリケータ１０の一例において、空洞３０内の圧力は、出口開口部２４の開放直前に１．２５、１．４５ａｔｍなどの１．１〜３ａｔｍの圧力に到達し得る。
【００４７】
この圧力は、外部加圧ガス源を伴わずに、本開示の主題に従って提供されるアプリケータの内部で上昇することが理解されるであろう。
【００４８】
本開示の主題によるアプリケータ１０から放出された粉末の加圧噴出の１つの利点は、粉末は、噴霧の加圧噴出で出口開口部２４から放出され、これにより目標位置に集中したエアロゾルおよび粉末スポットが生成されるため、目標位置への粉末用量の正確かつ一定の分配による精密な塗布であることが理解されるであろう。
【００４９】
更に、本開示の主題によるアプリケータ１０から放出された粉末の加圧噴出の更なる利点は、少なくとも出口開口部の近傍の空洞内に配置された粉末が、出口開口部２４からの噴霧として、運動エネルギーで押し出され、それ自体の運動量を有して、重力によって打ち消される前にいくらかの距離を移動することを可能にするため、水平方向並びに垂直上向き方向、すなわち、重力に対抗する方向を含む任意の可能な方向に、粉末噴出が方向付づけられることを可能にすることであることが更に理解されるであろう。アプリケータ自体の向きが、垂直から水平、上向き、下向き、およびそれらの間のあらゆる角度に変化しても、粉末が塗布され得ることが更に理解されるであろう。
【００５０】
噴霧粉末の自由度は制限なく、ユーザがアプリケータをより直感的に使用することが可能となる。更に、本来なら到達しにくい場所へのアクセスが可能になる。
【００５１】
本開示の主題に従って提供されるアプリケータは、栓５０が出口開口部２４から離れて移動する距離が、栓５０によって閉塞されていない出口開口部２４の近傍の面積を効果的に増加させるように増大されることができ、それにより、アプリケータを出るガスおよび粉末の流れの速度を低下させることができるように、構成され得ることが、更に理解されるであろう。
【００５２】
別の実施形態では、アクチュエータ４０は、栓５０に閉鎖力を印加するように、力伝達要素４６を少なくとも間接的に操作するように構成された力印加要素を更に備えることができる。閉鎖力は、長手方向軸Ｌに沿って空洞３０に向かって方向付けられ、開放力が終了されると、栓５０を非閉鎖位置から閉塞位置にし、開放力が印加されるまで栓５０を閉塞位置に維持する。
【００５３】
そのような力印加要素を有するアプリケータの一例を図２Ａおよび２Ｂに示し、１１０として指定する。アプリケータ１１０は、同じ構成要素を有し、図１Ａ、１Ｂおよび１Ｃに示されるアプリケータ１０と同じ方法で操作され、上述の力印加要素を有するという点でアプリケータ１０とは異なり、これは、アプリケータ１１０内では、図２Ａおよび２Ｂで４４と指定されるばねの形態である。ばね４４は、力伝達要素４６が開放力を栓５０に印加して栓５０を非閉塞位置（図２Ｂ）にさせたときに圧縮状態にされ、力伝達要素４６が閉鎖力を栓５０に印加して、栓５０を閉塞位置（図２Ａ）にさせる伸長状態にされるように構成されている。
【００５４】
ばねは、変形可能なガス収容作動要素４２がその初期状態から中間状態にされるまで、その部分的伸長状態又は伸長状態に維持され、変形可能なガス収容作動要素が中間状態から最終状態にされたときに、変形可能なガス収容作動要素４２によって、少なくとも間接的に圧縮されるように更に構成されている。
【００５５】
アプリケータ１１０において、ベローズ４２が栓５０に直接的又は間接的に開放力を印加するときに圧縮可能であるように、ばね４４が容器２０内に保持されるために、ロッド４６によって保持されかつ作動要素４２によってそれと共に移動可能な近位ばね座４７と、容器２０の内面に固定された遠位ばね座６２と、が空洞３０内に設けられる。近位ばね座４７は、ロッド４６と共に一体型本体を構成することができるか、又は近位端４８に遠位に配置された位置であるが、アプリケータ１１０の長手方向軸Ｌに沿って、遠位ばね座６２よりもこの先端に近くなる位置でロッドと共に組み立てることができる。遠位ばね座６２は、容器２０と共に一体型本体として形成されてもよく、又はそれと組み立てられてもよく、また遠位ばね座６２は、出口開口部２４の開状態および閉状態に対応する位置の間で栓５０を移動させるときに、ロッド４６を取り囲むように構成された中央通路６３を有して、それに沿ってロッド４６の自由な移動を可能にすることができる。
【００５６】
ばね４４は、力Ｆ１として図２Ａに示される、遠位に押す開放力を、作動要素４２が栓５０を有するロッド４６に適用するときに、作動要素４２によってその圧縮状態にされ、それによって近位ばね座４７を遠位に移動させる。次いで、この座４７は、固定された遠位ばね座６２に当接するばね４４に、力Ｆｓ＝−ｋΔｘを印加し、ここで、ｋはばね定数であり、Δｘはばねが圧縮される距離である。開放する遠位に押す力が終了されると、ばね４４は伸張する習性があり、それによって近位ばね座４７を介して栓５０を有するロッド４６に、図２Ａに力Ｆ２として示される、閉鎖する近位に引っ張る力を印加して、栓５０が出口開口部２４を塞ぐように戻り、開放する遠位に押す力が栓５０に印加されない限り、出口開口部をその閉状態に維持する。この閉状態はアプリケータ１１０のデフォルト状態を特徴付け、開放する遠位に押す力が栓５０に印加されるまでユーザが押すことによって作動要素４２がその中間状態からその最終状態にされるときを除いて、常に維持され、それにより、重力又は偶発的な移動に起因して、意図しない粉末がアプリケータから放出されることが防止される。
【００５７】
アプリケータ１１０がデフォルトで閉鎖位置にあることの更なる利点は、アプリケータが常に使用準備完了位置にあることである。したがって、アプリケータ１１０は、ユーザが最初にそれを作動させる必要なく、例えば、そのモードを「オフ」から「オン」に変更することを必要とせずに、即座に操作されて、粉末を圧搾させることができる。これにより、アプリケータのユーザ利便性が増して、使用がより直感的になり、それによってアプリケータの円滑な動作を妨げ得る使用中の混乱を防止する助けとなる。
【００５８】
アプリケータは、各使用後に使用準備完了位置に戻るため、繰り返し投与が可能になることが更に理解されるであろう。空洞３０内の粉末の一部分のみが各用量で使用されるアプリケータ１１０の構成では、空洞３０内の粉末が全て使用されるまでアプリケータを繰り返し使用することができ、したがって、最終的に使用されるアプリケータ内に提供される粉末の割合を最大化し、粉末の無駄を最小限に抑えることができる。
【００５９】
更に、アプリケータの各使用のために空洞３０内の圧力が上昇することにより、一連の用量での各連続投与量が、有効性を全く低下させずに初期用量にもたらされる全ての利点を提供し、すなわち、粉末塗布は、毎回の塗布において上述した方法で加圧噴出を介して達成されることが理解されるであろう。アプリケータ１１０の例では、ユーザがベローズ４２の近位端４３’を押圧することをやめ、ばね４４が、栓５０を非閉塞位置から閉塞位置へと移動させるために上述したように閉鎖力を印加した後、変形可能なガス収容作動要素４２は、周囲空気をその内部空間３９内に引き込むことにより、それを最終状態からその初期状態に戻すが、この状態では、次の加圧された粉末用量を送達する動作のために再び準備が整っている。
【００６０】
変形可能なガス収容作動要素４２が解放されると、それはその元の容積に戻って内部空間３９内の圧力の低下、内部空間３９内への周囲空気の流れおよび圧力平衡をもたらす。内部空間３９内への周囲空気の流れは、閉鎖されるまで出口開口部２４を介して、および／又はアクチュエータ４２と容器２０との間の接続に関して前述したように、ガスに対して完全に密封されていなくてもよいアプリケータの構成要素間に介在する空間を介して、生じ得る。
【００６１】
一実施形態において、変形可能なガス収容作動要素４２は、例えば、ベローズ４９の閉鎖した近位端４３’に開口部を備えて構成され得る。動作中、この開口部は、その初期状態から最終状態へと圧縮されるときに、ベローズ４９を押す間に、ユーザの親指によって密封され得る。次いで、ベローズからの親指の解放は、栓５０が出口開口部２４でその閉塞位置に戻るように移動しベローズ４９がその最終状態からその初期状態に戻る際に形成された圧力差により、周囲空気が内部空間３９内に流入することを可能にする。
【００６２】
一般的に、ばね４４の伸長状態は、本開示の主題に従って、上述したようにその部分的に圧縮された状態の潜在的エネルギーによって提供される閉鎖力をこの状態で印加するように構成されているので、その物理的パラメータに関して、実際にはばねの部分的に圧縮された状態であり得るが、この部分的に圧縮された状態は、図２Ｂに示されるばね４４の相対的により圧縮された状態に対して伸長状態であることも、また明らかにされている。
【００６３】
一般的に、ばね４４の圧縮状態は、本開示の主題に従って、ユーザによって印加された開放力（ばね４４を通過するロッド４６を介して栓５０をその非閉塞位置に移動させる）によってある程度圧縮されるように構成されているので、その物理的パラメータに関して、実際にはばねの部分的に伸長された状態であり得るが、この部分的に伸長された状態は、図２Ａに示されるばね４４の相対的により伸長された状態に対して圧縮状態であることも、また明らかにされている。
【００６４】
上述のアプリケータ１０および１１０のいずれか、並びに空洞３０と同様の空洞を有する本開示の主題による任意のその他のアプリケータは、空洞３０内に配置されかつ粉末の少なくとも一部を出口開口部から押し出すときに、ガスの流れ内に乱流を導入するように構成された、少なくとも１つの内部要素を含むことができる。そのような乱流は、アプリケータの使用後に空洞３０内に残され得る残留粉末の量を少なくとも減らすのに有利であり得る。乱流は、ガス中における粉末のより均一な懸濁を達成するために更に有利であり得る。
【００６５】
内部要素は、少なくとも１つのリブであってよく、例えばブレード様の形状などの任意の適切な形状を有することができる。上記の内部要素を有し、更にアプリケータ１０と同じ特徴を有するアプリケータの一例は、図３Ａおよび３Ｂに示されており、アプリケータは２１０と指定され、容器２０の内壁は２８と指定され、内壁２８から空洞３０内に突出するブレード様リブは６０と指定される。
【００６６】
作動要素４２から空洞３０に入るガスの層流がリブ６０に衝突すると、ガスの流れの方向は、遠位に移動しながら内壁２８に向かって移動する。これは、内壁２８に近接して配置されるか、又は内壁２８に密着する粉末の粒子に対して掃引効果を有することができ、その結果、これらの粒子は、アプリケータ１０内に残留して使用されないのではなく、出口開口部２４から押し出される。したがって、アプリケータ内の粉末の総体積の最大限可能な割合は、空洞３０内に残留して無駄になるのではなく、アプリケータ２１０の動作中に使用され、すなわち出口開口部２４を通って押し出される可能性が高い。アプリケータ１０内の粉末の総体積が１回用量である場合、これは、不十分な又は不正確な用量の塗布を防止することができる。
【００６７】
リブ６０は、空洞３０内に乱流を形成する任意の形状および任意のサイズであってよいことが理解されるであろう。例えば、リブ６０は、０．２５Ｒ以上０．７５Ｒ以下の半径方向延在部を有することができ、ここで、Ｒは、内壁２８と長手方向軸Ｌとの間の平均距離である。リブ６０の例示的な軸方向延長部は０．５Ｈ以上であり得、Ｈは空洞３０の軸方向延在部である。
【００６８】
更に、アプリケータからの粉末の最大送達を達成するように、空洞３０内のガスと粉末との混合を更に最適化するために、空洞内に粉末を含まない空間を残すように空洞３０の全自由容積の８５−９０％まで粉末が占めるように、空洞３０に粉末を充填することができることが更に理解されるであろう。
【００６９】
上記のアプリケータ１０、１１０および２１０のいずれか、又は本開示の主題による任意のその他の同様のアプリケータは、入口開口部２２に隣接する空洞３０内に取り付けられたガス透過性フィルタを備えることができ、これにより、粉末が空洞３０から入口開口部２２を通って作動要素４２へと移動することを防止することができるが、ガスが、入口開口部２２を通って作動要素４２から空洞３０に入り、容器の出口端部２３に向かってフィルタを通過する（フィルタのみを通過する）ことを可能にする。フィルタは、入口開口部２２に面する第１の側面と、容器２０の出口端部２３に面する第２の側面と、を有することができ、フィルタの第２の側面と容器の出口端部２３との間に粉末のためのチャンバを形成するように配置され得る。上記フィルタを有し、更にアプリケータ１０と同じ特徴を有するアプリケータの例が図４に示されているが、アプリケータは３１０と指定され、フィルタは７０と指定され、その第１の側面は７２と指定され、その第２の側面は７４と指定され、チャンバは３２と指定されている。
【００７０】
本開示の主題に提供されるフィルタは、任意の好適な手段によって容器２０の内部、例えば、空洞３０の内壁２８に固定されることができ、したがって、アプリケータ内に収容された粉末上に直接静置されず、したがって粉末にいかなる力も印加されないことが理解されるであろう。このように、粉末の凝集、アグロメレーション、およびケーキングが防止される。
【００７１】
上述のアプリケータの全てにおいて、容器２０の出口端部２３は、出口開口部２４をその近位端に有する軸方向に延在する出口ポート４１と、出口開口部２４から遠位に延在する栓通路５５と、を有するように示されており、そのため、栓５０は、出口開口部２４に当接しそれを塞ぐその近位位置から、通路５５に沿ってそこから遠位方向に離間されている出口開口部２４を塞がない遠位位置まで、それに沿って移動することができる。出口開口部２４がその閉状態にあるときに、近位方向への栓５０の軸方向の移動を防止するために、栓５０は、少なくとも１つの断面寸法において出口開口部２４よりも大きい、そのような断面形状を有するように示されている。通路５５は、出口開口部２４から離間して通路の長さに沿ってそのような断面形状を有することができ、そのため、出口開口部２４を開状態および閉状態にするとき、それぞれ出口開口部２４から離れておよび出口開口部２４に向かって、栓が通路に沿って自由に移動することを可能にする。
【００７２】
例えば、栓通路５５は、図１Ａに示されるような通路内壁５６を有することができる。栓５０は、その閉塞位置にあるときに通路内壁５６の間に配置されてよく、その非閉塞位置に移動されるときに、通路内壁５６から離れるように移動させることができる。
【００７３】
図１Ａに更に示すように、栓５０は最大断面寸法Ｄｐｌｕｇを有し、出口開口部２４は、Ｄｐｌｕｇよりも小さい対応する断面寸法ｄを有し、通路５５は、対応する断面寸法Ｄｐａｓｓを有し、これはＤｐｌｕｇよりも大きく、軸Ｌに沿って変化する。上記の全てのアプリケータにおいて、栓５０、出口開口部２４および通路５５の断面形状は円形であり、上記の寸法は、それらの対応する直径である。しかしながら、上記のアプリケータ、並びに本開示の主題による任意のその他のアプリケータにおいて、栓、通路５５および出口開口部のうちのいずれか１つは、例えば楕円形又は多角形などの任意の他の不規則又は規則的な断面形状を有することができ、この場合、上記の寸法は、その形状に内接する円の直径である。
【００７４】
上述のアプリケータのいずれか又は本開示の主題による任意のその他の同様のアプリケータにおいて、いくつかの実施形態では、栓５０は、閉状態にされたときに出口開口部２４を部分的にのみ塞ぐように構成することができ、これにより、粉末が出口開口部２４から出るのを防止する一方で、いくらかの量のガスが出口開口部２４を通過するのを可能にするように構成することができる。この場合、栓５０による出口開口部２４の部分的な閉塞の程度は、上記のように圧力差を依然として生成することを可能にして、出口開口部２４からの粉末の加圧噴出を押し出すようにすべきである。上述のアプリケータのいずれか又は本開示の主題による任意の他の同様のアプリケータでは、いくつかの実施形態において、出口開口部２４は、粉末に対しては「閉じられている」が、ガスに対しては完全に閉じられていない。そのような実施形態では、栓は完全に気密ではないが、圧力差を生成することができる。
【００７５】
本開示の主題によるアプリケータは、上述のアプリケータ１０、１１０、２１０および３１０の特徴の全て又は一部のみを含むことができる。これらの特徴の全てを含むアプリケータ４１０を図５に示す。図５に示すアプリケータ４１０では、遠位ばね座６２は、フィルタ保持付属物（図示せず）を含むように修正されている。
【００７６】
本開示の主題によるアプリケータは、本明細書に開示されていない追加の特徴を含むことができる。
【００７７】
本開示の主題による任意のアプリケータにおいて、図５に示されるアプリケータ先端部８０などのアプリケータ先端部を使用することができる。アプリケータ先端部は、出口開口部２４の近くの遠位端でアプリケータ１０の容器２０上にスナップ嵌めされるように構成されているハブに接続することができ、アプリケータ先端部８０を必要に応じて交換することを可能にする、例えば、塗布要件に従って短いアプリケータ先端部を長いものに交換することを可能にする。例えば、低侵襲的処置のために長さが長い先端部を使用することが望ましい場合がある。
【００７８】
長い長さを有するアプリケータ先端部は、粉末を目標位置上に排出される前に、長いアプリケータ先端部の全長で移動させても、本開示の主題に従って提供されるアプリケータからの加圧噴出で粉末噴霧に与えられる運動エネルギーにより、安定した粉末塗布が依然として提供され得るという点で、アプリケータ１０で有利に使用され得ることが理解されよう。
【００７９】
アプリケータ先端部８０は、ポリマー、金属、又は２つの組み合わせなどの材料で作製することができ、剛性、可撓性、半可撓性でもよいし、又は形状記憶を有してもよい。ベローズ４９は、プラスチック樹脂などの形状記憶材料から作製することができる。
【００８０】
容器２０は、２本の指でアプリケータを良好に把持するのを容易にする突出部を有することができ、第３の指は作動要素４２を押すのに使用される。
【００８１】
一実施形態では、本発明のアプリケータは、外科的状況で使用される粉末を収容することができる。
【００８２】
一実施形態では、アプリケータは、エンドユーザによって分解され、粉末を充填され得る。
【００８３】
アプリケータは、ガンマ線照射又は電子ビーム照射に対して安定な材料で構成することができる。
【００８４】
本開示の主題のアプリケータは、図に示される実施例とは異なる設計又は構造を有し得ることが理解されるであろう。
【００８５】
例えば、アプリケータは、ばね４４の代わりに弾性材料で構成することができる。
【００８６】
別の例では、アプリケータは、出口開口部２４を開状態にするために、空洞３０から押し出されるのではなく、空洞３０内に栓５０が引き込まれるように構成され得る。
【００８７】
別の例では、アプリケータは、ばね４４が部分的に圧縮された又は圧縮状態に維持され、アプリケータの動作中に伸長するように構成され、その結果、粉末の塗布後、ばね４４が収縮する習性が栓５０上に閉鎖力を印加して出口開口部２４を閉状態にするように、構成され得る。
【００８８】
別の例では、アプリケータは、栓を少なくとも間接的に移動させるように印加される開放力および閉鎖力が、帯、ひも、歯車、又は歯車と組み合わせたロッドによって印加され得るように構成され得る。
【００８９】
別の例では、ガス圧上昇は、空洞３０内ではなく、作動要素４２の内部で起こり得る。
【００９０】
アプリケータは、その非動作状態において、変形可能なガス収容作動要素４２と空洞３０との間に流体連通がないように構成され得る。例えば、作動要素４２が作動されるとき、圧力が空洞３０内ではなく作動要素４２内で構築され得るように、密封部は、入口開口部２２に配置され得る。次いで、密封部は、作動要素４２内の圧力が所定の値に達すると、又は機械的手段によって、破裂することができる。同時に、圧力の上昇の結果として、又は機械的手段のいずれかによって、出口開口部２４を開放することができ、加圧噴出で粉末をアプリケータから押し出すことができる。
【００９１】
アプリケータが初めて使用されるときに破裂することができる、上記のような密封部を有するアプリケータの一実施形態では、アプリケータは使い捨てアプリケータとして使用することができる。
【００９２】
一実施形態では、出口開口部２４が開放される機構は、加圧ガスとは無関係であることが理解されるであろう。別の実施形態では、加圧ガスの放出は、例えば、機械的手段（ロッド４６の近位端４８を押すことによって）によって加圧ガスからは独立した機構によって実行される。
【００９３】
〔実施の態様〕
（１）  粉末分配アプリケータ（２１０、４１０）であって、前記アプリケータが、
少なくとも出口開口部（２４）の近傍に粉末を収容するように構成された空洞（３０）によって互いに離間された入口開口部（２２）および前記出口開口部（２４）を有する容器（２０）と、
前記出口開口部（２４）がその閉状態にあるときに、前記アプリケータ（２１０、４１０）内の圧力を上昇させるように構成された変形可能なガス収容作動要素（４２）を備えるアクチュエータ（４０）と、
前記出口開口部（２４）が前記開状態にあるときに、前記アプリケータ内とその外部との間の圧力差により発生した前記ガスの流れによって、前記粉末の少なくとも一部を加圧噴出で前記出口開口部（２４）から押し出すときに、前記ガス内に乱流を導入するように構成された前記空洞（３０）内の少なくとも１つの内部要素（６０）と、
を備える、粉末分配アプリケータ。
（２）  粉末分配アプリケータ（１０、１１０、２１０、３１０、４１０）であって、
容器（２０）であって、出口開口部（２４）が閉状態にあるときに、少なくとも前記出口開口部（２４）の近傍に粉末を収容し、前記出口開口部（２４）が開状態にあるときに、前記粉末の少なくとも一部が排出されることを可能にするように構成された空洞（３０）によって、前記アプリケータの長手方向軸（Ｌ）に沿って互いに離間された入口開口部（２２）および前記出口開口部（２４）を有する、容器と、
アクチュエータ（４０）であって、内部にガスを収容し、前記出口開口部（２４）がその閉状態にあるときに前記アプリケータ内の圧力を上昇させるために、最大動作容積を有するその初期状態から、前記最大容積よりも小さい中間動作容積を有する中間状態を介して、最小動作容積を有する最終状態にされるように構成され、また上昇した前記圧力が解放された後に、前記アプリケータの外部から周囲ガスを引き込むことによって、その最終状態からその初期状態にされるように更に構成された変形可能な作動要素（４２）を備える、アクチュエータと、
栓（５０）であって、前記作動要素（４２）が前記中間状態から前記最終状態にされたときに、前記栓（５０）が前記アクチュエータ（４０）によって操作されて前記出口開口部（２４）を前記開状態にするまで、前記出口開口部を前記閉状態に維持するために前記出口開口部（２４）を塞ぎ、前記粉末の少なくとも一部を加圧噴出で前記出口開口部（２４）から押し出すために、前記アプリケータ内とその外部との間の圧力差により発生した前記ガスの流れを作るように構成された、栓と
を備える、粉末分配アプリケータ。
（３）  前記栓（５０）は、前記出口開口部（２４）が閉鎖される閉塞位置と、前記栓（５０）が前記出口開口部（２４）から離れて移動され、したがって開放される、非閉塞位置と、の間で移動するように構成されている、実施態様２に記載のアプリケータ（１０、１１０、２１０、３１０、４１０）。
（４）  前記出口開口部（２４）は、通路内壁（５６）を有する軸方向に延在する通路（５５）の形態であり、前記通路内壁において、前記栓（５０）が、その閉塞位置にあるときに前記通路内壁（５６）の間に配置され、前記栓（５０）は、前記閉塞位置から、前記通路内壁（５６）から離れる方向に、その非閉塞位置に移動される、実施態様３に記載のアプリケータ（１０、１１０、２１０、３１０、４１０）。
（５）  前記アクチュエータ（４０）が、
前記軸（Ｌ）に沿って方向付けられて前記栓（５０）を前記閉塞位置から前記非閉塞位置へ移動させる開放力と、
前記開放力が終了されると、前記軸に沿って方向付けられて前記栓（５０）を前記非閉塞位置から前記閉塞位置へ移動させ、前記開放力が印加されるまで前記栓（５０）をこの位置に維持する閉鎖力と、
を前記栓（５０）に選択的に印加するように構成され、前記開放力および閉鎖力のうちの一方が前記空洞（３０）に向かって方向付けられ、これらの力のうちの他方が前記空洞（３０）から離れるように方向付けられる、実施態様３又は４に記載のアプリケータ（１０、１１０、２１０、３１０、４１０）。
【００９４】
（６）  前記アクチュエータ（４０）が、前記変形可能なガス収容作動要素（４２）によって、少なくとも間接的に操作可能な、少なくとも１つの力伝達要素（４６）を備え、その結果、前記変形可能なガス収容作動要素（４２）が前記中間状態から前記最終状態にされたときに、前記開放力を前記栓（５０）に印加する、実施態様５に記載のアプリケータ（１０、１１０、２１０、３１０、４１０）。
（７）  前記アクチュエータ（４０）は、前記力伝達要素（４６）を少なくとも間接的に操作し、その結果、前記変形可能なガス収容作動要素（４２）がその最終状態からその初期状態に戻されたときに、前記閉鎖力を前記栓（５０）に印加させるように構成された、少なくとも１つの力印加要素（４４）を備える、実施態様６に記載のアプリケータ（１１０、４１０）。
（８）  前記力印加要素が、ばね（４４）の形態であり、前記力伝達要素が前記開放力を前記栓（５０）に印加して前記栓（５０）を前記非閉塞位置にさせたときに圧縮状態にされ、前記力伝達要素が前記閉鎖力を前記栓（５０）に印加して、前記栓（５０）を前記閉塞位置にさせる伸長状態にされる、実施態様７に記載のアプリケータ（１１０、４１０）。
（９）  前記ばね（４４）は、前記変形可能なガス収容作動要素（４２）がその初期状態から前記中間状態にされるまで、その伸長状態に維持され、前記変形可能なガス収容作動要素（４２）が前記中間状態から前記最終状態にされたときに、前記変形可能なガス収容作動要素（４２）によって、少なくとも間接的に圧縮されるように構成されている、実施態様８に記載のアプリケータ（１１０、４１０）。
（１０）  前記空洞（３０）が、前記粉末の少なくとも一部を押し出すときに、前記ガスの流れ内に乱流を導入するように構成された少なくとも１つの内部要素（６０）を有する、実施態様２に記載のアプリケータ（２１０、４１０）。
【００９５】
（１１）  前記少なくとも１つの内部要素が、少なくとも１つのリブ（６０）である、実施態様１０に記載のアプリケータ（２１０、４１０）。
（１２）  前記容器（２０）が、前記空洞（３０）を画定する内壁（２８）を有し、前記少なくとも１つのリブ（６０）が前記内壁（２８）から内側に突出する、実施態様１１に記載のアプリケータ（２１０、４１０）。
（１３）  ガス透過性フィルタ（７０）を更に備え、前記ガス透過性フィルタ（７０）が、前記入口開口部（２２）に面する第１の側面（７２）と、前記出口開口部（２４）に面する第２の側面（７４）と、を有し、前記空洞（３０）内に配置されて前記フィルタ（７０）の前記第２の側面（７４）と前記出口開口部（２４）との間に、前記粉末用のチャンバ（３２）を形成し、前記フィルタ（７０）は、前記粉末が前記フィルタ（７０）を通って前記入口開口部（２２）に向かって移動することを防止するために、前記粉末に対するバリアを形成するように構成されている、実施態様２に記載のアプリケータ（３１０、４１０）。
（１４）  前記圧力が、前記出口開口部（２４）の開口直前に１２６．６６〜１４６．９２ｋＰａ（１．２５〜１．４５ａｔｍ）である、実施態様２〜６のいずれかに記載のアプリケータ（１０、１１０、２１０、３１０、４１０）。
（１５）  前記変形可能なガス収容作動要素（４２）は、前記最大動作容積を有するときに、前記初期状態において、最大量のガスを内部に有し、前記最小動作容積を有するときに、前記最終状態において、最小量のガスを内部に有し、前記出口開口部（２４）がその閉状態にあるときに、前記空洞（３０）内の圧力を上昇させるために、前記初期状態から前記中間状態にされたときに、前記軸（Ｌ）に沿って前記入口開口部（２２）を介して、前記空洞（３０）内に前記ガスを導入するために、前記容器（２０）に密封状態で接続されている、実施態様２〜６又は１４のいずれかに記載のアプリケータ（１０、１１０、２１０、３１０、４１０）。
【００９６】
（１６）  前記ガス収容作動要素（４２）は、前記出口開口部（２４）および前記空洞（３０）を少なくとも部分的に介して、周囲空気を内部に引き込んで、その最終状態からその初期状態に戻されたときに、前記最小動作容積から前記最大動作容積にその容積を増加させるように構成されている、実施態様７に記載のアプリケータ（１１０、４１０）。
（１７）  前記力印加要素（４４）は、前記力印加要素（４４）が前記栓（５０）をその非閉塞位置からその閉塞位置にさせるのに必要な時間が、前記栓（５０）が前記出口開口部（２４）を塞ぐ前に、前記ガス収容作動要素（４２）が前記最小動作容積から少なくとも前記中間容積までその容積を増加させることを可能にするように選択されるように構成されている、実施態様１５に記載のアプリケータ（１１０、４１０）。
（１８）  粉末分配アプリケータ（１０、１１０、２１０、３１０、４１０）を使用して表面上に粉末を塗布する方法であって、前記アプリケータ（１０、１１０、２１０、３１０、４１０）は、内部に粉末を収容するように構成された空洞（３０）によって互いに離間された入口開口部（２２）および出口開口部（２４）を有する容器（２０）を備え、前記方法は、
前記出口開口部（２４）を閉鎖したままに維持しながら、前記アプリケータ内に収容されたガスを加圧することと、
続いて前記出口開口部（２４）を開放して、前記粉末の少なくとも一部を加圧噴出で前記出口開口部（２４）から押し出すために、前記アプリケータ（１０、１１０、２１０、３１０、４１０）内とその外部との間の圧力差により発生した前記ガスの流れを作ることと、
前記上昇した圧力が解放された後に、周囲ガスを前記アプリケータ内に、その外部から引き込むことを可能にすることと、
を含む、方法。
【図１Ａ】
2021502153.tif 000003
【図１Ｂ】
2021502153.tif 000004
【図１Ｃ】
2021502153.tif 000005
【図２Ａ】
2021502153.tif 000006
【図２Ｂ】
2021502153.tif 000007
【図３Ａ】
2021502153.tif 000008
【図３Ｂ】
2021502153.tif 000009
【図４】
2021502153.tif 000010
【図５】
2021502153.tif 000011
【国際調査報告】
2021502153.tif 000012
2021502153.tif 000013
2021502153.tif 000014
2021502153.tif 000015